【手続補正書】
【提出日】平成21年2月13日(2009.2.13)
【手続補正１】
【補正対象書類名】明細書
【補正対象項目名】特許請求の範囲
【補正方法】変更
【補正の内容】
【特許請求の範囲】
【請求項１】  予め設定された変動表示開始条件を満足する場合、可変表示装置上に表示される識別情報の変動表示を開始するとともに、所定時間経過後に変動表示を停止させる変動表示手段と、
前記変動表示手段による変動表示の過程及び結果を決定するための抽選を行う抽選手段とを備え、
前記抽選手段による抽選される変動表示の過程は、予め用意された複数種類の変動パターンとして記憶されており、
前記抽選手段による抽選の結果、所定の遊技価値を付与すべき特定表示態様となるか否かの過程を演出する特別演出表示を行う場合、最終的に停止する識別情報が特定表示態様となるべき特定識別情報で更新表示される位置を基準として、当該特定識別情報の更新直前に停止するよりも、該特定識別情報の更新直後に停止する変動パターンの種類の方が多くなるように設定してなることを特徴とする遊技機。
【請求項２】  予め設定された変動表示開始条件を満足する場合、可変表示装置上に表示され、所定順に配置された所定数の識別情報の変動表示を開始するとともに、所定時間経過後に変動表示を停止させる変動表示手段と、
前記変動表示手段による変動表示の過程及び結果を、予め用意された複数種類の変動パターンの中から決定するための抽選を行う抽選手段とを備え、
前記抽選手段による抽選の結果、所定の遊技価値を付与すべき特定表示態様となるか否かの過程を演出する特別演出表示を行った後に最終停止識別情報で停止する場合、当該最終停止識別情報が特定表示態様となるべき特定識別情報の直前に配置された識別情報で停止するよりも、該特定識別情報の直後に配置された識別情報で停止する変動パターンの種類の方が多くなるように設定してなることを特徴とする遊技機。
【請求項３】  前記最終停止識別情報が特定識別情報の直前で停止する確率よりも直後で停止する確率を高く設定してなることを特徴とする請求項２に記載の遊技機。
【請求項４】  予め設定された変動表示開始条件を満足する場合、可変表示装置上に表示される識別情報の変動表示を開始するとともに、所定時間経過後に変動表示を停止させる変動表示手段と、
前記変動表示手段による変動表示の過程及び結果を決定するための抽選を行う抽選手段とを備え、
前記抽選手段による抽選される変動表示の過程は、予め用意された複数種類の変動パターンとして記憶されており、
前記抽選手段による抽選の結果、所定の遊技価値を付与すべき特定表示態様となるか否かの過程を演出する特別演出表示を行う場合、最終的に停止する識別情報が特定表示態様となるべき特定識別情報で更新表示される位置を基準として、当該特定識別情報の更新直前に停止するよりも、該特定識別情報の更新直後に停止する確率を高く設定してなることを特徴とする遊技機。
【請求項５】  予め設定された変動表示開始条件を満足する場合、可変表示装置上に表示され、所定順に配置された所定数の識別情報の変動表示を開始するとともに、所定時間経過後に変動表示を停止させる処理であって、所定の遊技価値を付与すべき特定表示態様となるか否かの過程を演出する特別演出表示を行った後に最終停止識別情報で停止する場合、当該最終停止識別情報が特定表示態様となるべき特定識別情報の直前に配置された識別情報で停止するよりも、該特定識別情報の直後に配置された識別情報で停止する変動パターンの種類の方が多くなるように設定してなる変動表示処理と、
前記変動表示処理による変動表示の過程及び結果を、予め用意された複数種類の変動パターンの中から決定するための抽選を行う抽選処理とをコンピュータに実行させるためのプログラムを記録したことを特徴とするコンピュータ読み取り可能な記録媒体。
【請求項６】  予め設定された変動表示開始条件を満足する場合、可変表示装置上に表示され、所定順に配置された所定数の識別情報の変動表示を開始するとともに、所定時間経過後に変動表示を停止させる変動表示手順と、
前記変動表示手順による変動表示の過程及び結果を、予め用意された複数種類の変動パターンの中から決定するための抽選を行う抽選手順とを備え、
前記抽選手順による抽選の結果、所定の遊技価値を付与すべき特定表示態様となるか否かの過程を演出する特別演出表示を行った後に最終停止識別情報で停止する場合、当該最終停止識別情報が特定表示態様となるべき特定識別情報の直前に配置された識別情報で停止するよりも、該特定識別情報の直後に配置された識別情報で停止する変動パターンの種類の方が多くなるように設定してなることを特徴とする変動表示方法。
【手続補正２】
【補正対象書類名】明細書
【補正対象項目名】００１６
【補正方法】変更
【補正の内容】
【００１６】
上記目的を達成するため、本発明の第２の観点にかかる遊技機は、予め設定された変動表示開始条件を満足する場合、可変表示装置(例えば、特別図柄表示装置６）上に表示され、所定順に配置された所定数の識別情報の変動表示を開始するとともに、所定時間経過後に変動表示を停止させる変動表示手段（例えば、遊技制御部２００，表示制御部５００）と、前記変動表示手段による変動表示の過程及び結果を、予め用意された複数種類の変動パターンの中から決定するための抽選を行う抽選手段（例えば、遊技制御部２００）とを備え、前記抽選手段による抽選の結果、所定の遊技価値を付与すべき特定表示態様となるか否かの過程を演出する特別演出表示を行った後に最終停止識別情報で停止する場合、当該最終停止識別情報が特定表示態様となるべき特定識別情報の直前に配置された識別情報で停止するよりも、該特定識別情報の直後に配置された識別情報で停止する変動パターンの種類の方が多くなるように設定してなることを特徴とする。
【手続補正３】
【補正対象書類名】明細書
【補正対象項目名】００２１
【補正方法】変更
【補正の内容】
【００２１】
上記目的を達成するため、本発明の第４の観点にかかるコンピュータ読み取り可能な記録媒体は、予め設定された変動表示開始条件を満足する場合、可変表示装置上に表示され、所定順に配置された所定数の識別情報の変動表示を開始するとともに、所定時間経過後に変動表示を停止させる処理であって、所定の遊技価値を付与すべき特定表示態様となるか否かの過程を演出する特別演出表示を行った後に最終停止識別情報で停止する場合、当該最終停止識別情報が特定表示態様となるべき特定識別情報の直前に配置された識別情報で停止するよりも、該特定識別情報の直後に配置された識別情報で停止する変動パターンの種類の方が多くなるように設定してなる変動表示処理と、前記変動表示処理による変動表示の過程及び結果を、予め用意された複数種類の変動パターンの中から決定するための抽選を行う抽選処理とをコンピュータに実行させるためのプログラムを記録したことを特徴とする。
【手続補正４】
【補正対象書類名】明細書
【補正対象項目名】００２３
【補正方法】変更
【補正の内容】
【００２３】
上記目的を達成するため、本発明の第５の観点にかかる変動表示方法は、予め設定された変動表示開始条件を満足する場合、可変表示装置上に表示され、所定順に配置された所定数の識別情報の変動表示を開始するとともに、所定時間経過後に変動表示を停止させる変動表示手順と、前記変動表示手順による変動表示の過程及び結果を、予め用意された複数種類の変動パターンの中から決定するための抽選を行う抽選手順とを備え、前記抽選手順による抽選の結果、所定の遊技価値を付与すべき特定表示態様となるか否かの過程を演出する特別演出表示を行った後に最終停止識別情報で停止する場合、当該最終停止識別情報が特定表示態様となるべき特定識別情報の直前に配置された識別情報で停止するよりも、該特定識別情報の直後に配置された識別情報で停止する変動パターンの種類の方が多くなるように設定してなることを特徴とする。